(57)【要約】【課題】セキュリティ性を向上できる遊技機を提供すること。【解決手段】遊技盤２０と、遊技盤２０の後側に取り付けられた液晶パネルユニット６０と、遊技盤２０の後側に取り付けられた搭載枠部材５０と、主制御基板１００と、主制御基板１００を収容している主基板ケース８１と、を備え、主基板ケース８１は、液晶パネルユニット６０と、搭載枠部材５０と、に取り付けられている。【選択図】図３
2019093255.tif 000002
【特許請求の範囲】
【請求項１】
基板と、
前記基板を収容しているケースと、を備え、
前記ケースは、第１ケース部材と第２ケース部材とを組み付けることにより、その内部に前記基板を収容する空間が形成されており、
前記第１ケース部材と前記第２ケース部材は、かしめ部によってかしめられており、
前記ケースを構成する前記第２ケース部材は、前記基板が前記ケースに収容された状態において、前記基板における電子部品の実装面から離間する方向に向かって突出する膨出部と、前記実装面から離間する方向に向かって突出する前記膨出部の壁に繋がり、前記基板に近接した状態で広がる近接部とを備え、
前記近接部には、外部機器を接続するための外部端子が挿通される外部端子孔が形成されており、
前記基板が前記ケースに収容された状態において、前記外部端子の先端面は前記膨出部よりも突出しておらず、
前記外部端子孔に前記外部端子が挿通された状態において、前記外部端子と前記近接部が繋がる前記膨出部の壁との間は離間しており、前記外部端子と前記膨出部の壁との間には前記近接部よりも前記実装面から離間する方向に突出する突出部が介在されていることを特徴とする遊技機。
【発明の詳細な説明】
【技術分野】
【０００１】
この発明は、遊技機に関するものである。
【背景技術】
【０００２】
従来、遊技機の一種であるパチンコ遊技機は、様々な電子部品が実装された基板を搭載している（例えば、特許文献１）。一般的に、基板は、電子部品の保護や不正な交換の抑制を目的として、ケースに収容されている。
【先行技術文献】
【特許文献】
【０００３】
【特許文献１】特開２０１６−８７３３２号公報
【発明の概要】
【発明が解決しようとする課題】
【０００４】
しかしながら、近年では、不正行為の巧妙化が進んでおり、基板がケースごと取り外されてしまうことも想定される。このため、さらに遊技機のセキュリティ性を向上させることが期待されている。
【０００５】
この発明の目的は、セキュリティ性を向上できる遊技機を提供することである。
【課題を解決するための手段】
【０００６】
上記課題を解決する遊技機は、基板と、前記基板を収容しているケースと、を備え、前記ケースは、第１ケース部材と第２ケース部材とを組み付けることにより、その内部に前記基板を収容する空間が形成されており、前記第１ケース部材と前記第２ケース部材は、かしめ部によってかしめられており、前記ケースを構成する前記第２ケース部材は、前記基板が前記ケースに収容された状態において、前記基板における電子部品の実装面から離間する方向に向かって突出する膨出部と、前記実装面から離間する方向に向かって突出する前記膨出部の壁に繋がり、前記基板に近接した状態で広がる近接部とを備え、前記近接部には、外部機器を接続するための外部端子が挿通される外部端子孔が形成されており、前記基板が前記ケースに収容された状態において、前記外部端子の先端面は前記膨出部よりも突出しておらず、前記外部端子孔に前記外部端子が挿通された状態において、前記外部端子と前記近接部が繋がる前記膨出部の壁との間は離間しており、前記外部端子と前記膨出部の壁との間には前記近接部よりも前記実装面から離間する方向に突出する突出部が介在されていることを要旨とする。
【発明の効果】
【０００７】
この発明によれば、セキュリティ性を向上できる。
【図面の簡単な説明】
【０００８】
【図１】パチンコ遊技機の前側を模式的に示す斜視図。
【図２】遊技盤の前側を模式的に示す斜視図。
【図３】（ａ）は、遊技盤の後側を模式的に示す斜視図、（ｂ）は、主基板ケースと搭載枠部材とを固定する部分の拡大図、（ｃ）は、主基板ケースと枠搭載部材とを固定する部分について、結束バンドの図示を省略した状態の拡大図。
【図４】遊技盤の後側について、２つの副基板ユニット、液晶パネルユニット、及び主基板ユニットを取り外した状態を模式的に示す斜視図。
【図５】（ａ）は、遊技盤の後側について、２つの副基板ユニット及び主基板ユニットの図示を省略した状態を模式的に示す斜視図、（ｂ）〜（ｄ）は、遊技盤の後側について、その一部を拡大して示す斜視図。
【図６】分解した状態の主基板ユニットを示す斜視図。
【図７】（ａ）は、ベース部材の斜視図、（ｂ）及び（ｃ）は、凹部の拡大図。
【図８】（ａ）は、カバー部材の斜視図、（ｂ）及び（ｃ）は、凸部の拡大図。
【図９】遊技盤の後側の一部を拡大して示す背面図。
【図１０】図９に示す１０−１０線断面図。
【図１１】図９に示す１１−１１線断面図。
【図１２】ボタン保護部を拡大して模式的に示す斜視図。
【発明を実施するための形態】
【０００９】
以下、遊技機の一種であるパチンコ遊技機の一実施形態について説明する。
この明細書における上、下、左、右、前（表）、及び後（裏）は、遊技者から見たときの各方向を示すものとする。なお、図３〜図１２は、パチンコ遊技機１０の後側（裏側）から見た状態が図示されていることから、紙面における左が遊技者からみて右となり、紙面における右が遊技者から見て左となる。
【００１０】
図１に示すように、遊技機としてのパチンコ遊技機１０は、枠体１１を備えている。枠体１１は、遊技店などの島設備に固定される設置枠１２と、該設置枠１２に対して開閉が可能に軸支された搭載枠１３と、を備えている。搭載枠１３は、各種の遊技部品を搭載するための枠である。搭載枠１３は、パチンコ遊技機１０に搭載された遊技部品を保護するための保護ガラス１４を備えている。なお、図１において、保護ガラス１４は、一部を残して図示が省略されているが、実際には搭載枠１３の開口部１３ａの全体を覆っている。パチンコ遊技機１０は、搭載枠１３の前面側に、発射ハンドル１５を備えている。パチンコ遊技機１０では、発射ハンドル１５の操作量（回動量）に応じた強度にて、遊技媒体としての遊技球が発射される。
【００１１】
パチンコ遊技機１０は、搭載枠１３の前面側に、装飾ランプ１６を備えている。装飾ランプ１６は、演出の１つとして、内蔵された発光体を発光、点滅、及び消灯させる演出（以下、発光演出と示す）を行う。パチンコ遊技機１０は、搭載枠１３の前面側に、スピーカ１７を備えている。スピーカ１７は、演出の１つとして、人や動物の声、効果音、及び楽曲などの音声を出力する演出（以下、音声演出と示す）を行う。
【００１２】
パチンコ遊技機１０は、略四角板状の部材である遊技盤２０を備えている。この実施形態の遊技盤２０は、透明なアクリル板であり、遊技盤２０の背後にある各種の遊技部品を遊技者が視認可能である。例えば、遊技盤２０は、表面にキャラクタや風景といった所定の絵柄が付されたベニヤ板であってもよい。遊技盤２０は、搭載枠１３に組み付けられている。遊技盤２０は、前面側に、遊技球が流下（転動）する遊技領域２１を備えている。遊技盤２０は、遊技領域２１の略中央に、遊技盤２０の厚さ方向に貫通する開口部２０ａを備えている。
【００１３】
図２に示すように、パチンコ遊技機１０は、情報表示パネル２５を備えている。情報表示パネル２５は、遊技盤２０のうち、遊技領域２１の外側であって、且つ遊技者から視認可能な位置に設けられている。情報表示パネル２５では、パチンコ遊技機１０の制御状態を示す各種の情報が表示により報知される。
【００１４】
情報表示パネル２５は、特別図柄表示部２５ａを備えている。特別図柄表示部２５ａは、所定の図柄を変動表示させるとともに、最終的に特別図柄を確定停止表示させる特別図柄変動ゲームを表示する。以下の説明では、図柄を確定的に停止表示することを、「図柄を導出する」と示す場合がある。特別図柄表示部２５ａにて導出が可能な特別図柄には、大当り図柄と、はずれ図柄とが少なくともある。この実施形態では、内部抽選（所謂、大当り抽選）に当選すると、特別図柄変動ゲームにおいて大当り図柄が導出されたのち、該大当りの特別図柄変動ゲームの終了後に、大当り遊技が付与される。詳しくは後述するが、大当り遊技は、遊技者が多数の賞球やその他の特典を獲得し得るため、遊技者にとって極めて有利な状態である。
【００１５】
情報表示パネル２５は、特別保留表示部２５ｂを備えている。特別保留表示部２５ｂは、始動条件が成立したが未だ実行条件が成立していないことで、その実行が保留されている特別図柄変動ゲームの回数を認識可能に表示する。以下の説明では、保留中の特別図柄変動ゲームの回数を特別保留数と示す。例えば、特別保留数の最大値は４である。
【００１６】
情報表示パネル２５は、普通図柄表示部２５ｃを備えている。普通図柄表示部２５ｃは、所定の図柄を変動表示させるとともに、最終的に普通図柄を導出させる普通図柄変動ゲームを表示する。普通図柄表示部２５ｃにて導出が可能な普通図柄には、普通当り図柄と、普通はずれ図柄とが少なくともある。この実施形態では、内部抽選（所謂、普通図柄の当り抽選）に当選すると、普通図柄変動ゲームにおいて普通当り図柄が導出されたのち、該普通当りの普通図柄変動ゲームの終了後に、普通当り遊技が付与される。普通当り遊技は、遊技者が賞球の払出し条件と、特別図柄変動ゲームの始動条件と、を成立させ易くなることから、遊技者にとって有利な状態である。パチンコ遊技機１０では、賞球の払出し条件が成立すると、賞球として遊技球が払い出される。
【００１７】
情報表示パネル２５は、普通保留表示部２５ｄを備えている。普通保留表示部２５ｄは、始動条件が成立したが未だ実行条件が成立していないことで、その実行が保留されている普通図柄変動ゲームの回数を認識可能に表示する。また、情報表示パネル２５は、右打ち表示部２５ｅを備えている。右打ち表示部２５ｅは、遊技球の発射強度に関する情報（この実施形態では、右打ち情報）を表示する。なお、上述した複数の表示部は、同じ情報表示パネル２５にある必要はなく、この実施形態とは異なる部分に別々に設けられていてもよい。
【００１８】
パチンコ遊技機１０は、遊技領域２１の略中央に、センター枠２６を備えている。センター枠２６は、開口部２６ａを備えており、その全体が枠状の部材である。センター枠２６は、遊技者から見たときに、センター枠２６の開口部２６ａと遊技盤２０の開口部２０ａとが重なった状態で、遊技盤２０に組み付けられている。
【００１９】
また、センター枠２６は、開口部２６ａの下縁部において、左右方向に沿って延びているステージ２７を備えている。ステージ２７は、遊技球を左右方向に沿って転動させる。センター枠２６は、遊技領域２１のうち、センター枠２６よりも左側の領域を流下する遊技球を、ステージ２７へと案内するワープ路２８を備えている。
【００２０】
パチンコ遊技機１０は、液晶パネル３１を備えている。液晶パネル３１は、全体として、四角板状の部材である。液晶パネル３１は、センター枠２６の開口部２６ａを介して、遊技者が液晶パネル３１の表示領域３１ａを視認可能となるように、遊技盤２０に組み付けられている。液晶パネル３１の取付け構造については後述する。液晶パネル３１は、演出の１つとして、所定のキャラクタや文字を模した絵柄を表示する演出（以下、表示演出と示す）を行う。例えば、液晶パネル３１は、表示演出の１つとして、演出図柄を複数列で変動表示させるとともに、最終的に演出図柄の組み合わせを導出させる演出図柄変動ゲームを実行可能である。
【００２１】
パチンコ遊技機１０は、センター枠２６の下方において、遊技領域２１に開口している第１始動入賞口３３を備えている。パチンコ遊技機１０は、第１始動入賞口３３に入賞した遊技球を検知する第１始動センサを備えている（図示しない）。なお、この明細書において「入賞」とは、遊技球が入賞口へ入球することである。
【００２２】
パチンコ遊技機１０は、センター枠２６の下方において、遊技領域２１に開口している第２始動入賞口３４を備えている。パチンコ遊技機１０は、第２始動入賞口３４に入賞した遊技球を検知する第２始動センサを備えている（図示しない）。この実施形態では、第１，第２始動センサによって遊技球が検知されると、特別図柄変動ゲームの始動条件が成立し得る。また、第１，第２始動センサによって遊技球が検知されると、賞球の払出し条件が成立する。パチンコ遊技機１０は、第２始動入賞口３４を開閉する普通可変部材３５を備えている。普通可変部材３５は、遊技球が第２始動入賞口３４に入賞し易い開状態と、遊技球が第２始動入賞口３４に入賞し難い、又は入賞できない閉状態と、に動作可能である。普通可変部材３５は、上述した普通当り遊技において開状態に動作される。
【００２３】
パチンコ遊技機１０は、センター枠２６の右下方において、遊技領域２１に開口している大入賞口３６を備えている。パチンコ遊技機１０は、大入賞口３６に入賞した遊技球を検知する一般センサＳＥ１を備えている。一般センサＳＥ１によって遊技球が検知されると、賞球の払出し条件が成立する。パチンコ遊技機１０は、大入賞口３６を開閉する特定可変部材３７を備えている。特定可変部材３７は、所謂大入賞口扉である。特定可変部材３７は、大入賞口３６に遊技球が入賞可能な開状態と、大入賞口３６に遊技球が入賞不能な閉状態と、に動作可能である。特定可変部材３７は、大当り遊技において開状態に動作される。
【００２４】
パチンコ遊技機１０は、遊技領域２１のうち、センター枠２６の右方において、遊技球が通過（入球）可能なゲート３８を備えている。パチンコ遊技機１０は、ゲート３８を通過する遊技球を検知するゲートセンサを備えている（図示しない）。ゲートセンサによって遊技球が検知されると、普通図柄変動ゲームの始動条件が成立し得る。パチンコ遊技機１０は、アウト口３９を備えている。この実施形態では、何れの入賞口にも入賞しなかった遊技球は、アウト口３９から機外へと排出される。なお、パチンコ遊技機１０は、入賞口３３，３４，３６とは異なる入賞口を備えていてもよい。また、パチンコ遊技機１０は、釘や風車など、遊技領域２１を流下する遊技球の挙動に変化を与えるための部材を備えている。
【００２５】
パチンコ遊技機１０は、各種の遊技部品を組み付けるための搭載枠部材５０を備えている。搭載枠部材５０は、遊技盤２０の裏面（後側）に組み付けられている。搭載枠部材５０は、後壁５０ａと、該後壁５０ａを前後方向に貫通する略四角形の開口部５０ｂと、後壁５０ａの縁部から遊技盤２０の裏面へと延びる四角筒状の側壁５０ｄと、を備えている。搭載枠部材５０は、前方が開放された扁平な四角箱状の部材である。例えば、側壁５０ｄの先端部は、ネジなどを用いて、遊技盤２０の裏面に固定されている。この実施形態において、搭載枠部材５０は、全体が一体に形成されているが、複数の部品を組み合わせて形成されていてもよい。
【００２６】
パチンコ遊技機１０は、装飾ランプ１６、スピーカ１７、及び液晶パネル３１とは別に、遊技領域２１内において所定の演出を実行する演出装置５０ｅを備えている。演出装置５０ｅは、遊技盤２０の後側において、搭載枠部材５０に収容されている。例えば、演出装置５０ｅは、所定の演出動作を行う可動体装置を含んでいてもよい。可動体装置は、所定の動作範囲で動作する演出用の可動体、及び該可動体を動作させるアクチュエータなどを含んで構成される。例えば、演出装置５０ｅは、所定の画像を表示する補助表示装置を含んでいてもよい。補助表示装置は、液晶パネル、及び該液晶パネルを変位させるアクチュエータなどを含んで構成される。例えば、演出装置５０ｅは、所定の発光パターンにより発光する発光装置を含んでいてもよい。発光装置は、図示しないＬＥＤなどの発光体、及び該発光体を覆っている外装体を含んで構成される。
【００２７】
この実施形態において、演出装置５０ｅを構成している各種の遊技部品は、搭載枠部材５０の内部に固定されている。したがって、パチンコ遊技機１０において、遊技盤２０及び搭載枠部材５０は、持ち運びが困難な程度に大型であり、且つ演出装置５０ｅを内蔵した搭載枠部材５０と遊技盤２０の合計重量も比較的重くなる。
【００２８】
図３に示すように、パチンコ遊技機１０は、遊技盤２０の後側（裏側）に、液晶パネルユニット６０、第１副基板ユニット７０、第２副基板ユニット７５、及び主基板ユニット８０を備えている。液晶パネルユニット６０、第１副基板ユニット７０、第２副基板ユニット７５、及び主基板ユニット８０は、搭載枠部材５０の裏面側に組み付けられている。以下、詳細に説明する。
【００２９】
最初に、液晶パネルユニット６０の取付け構造について説明する。この実施形態において、液晶パネルユニット６０は、遊技盤２０の後側に取り付けられた第１部材に相当する。
【００３０】
図４に示すように、搭載枠部材５０は、後壁５０ａの後面５０ｃに、上パネルガイド部５１と、下パネルガイド部５２と、を備えている。パネルガイド部５１，５２は、開口部５０ｂを挟んで上下方向に対向し、且つ左右方向に沿って延びている。左右方向と直交する平面で切断したと仮定したときに、パネルガイド部５１，５２の断面は、それぞれ開口部５０ｂ側に開口するコの字型である。
【００３１】
液晶パネルユニット６０は、液晶パネル３１と、液晶パネル３１を駆動する液晶パネル駆動基板３２と、液晶パネル３１及び液晶パネル駆動基板３２を収容しているパネルケース６１と、を備えている。パネルケース６１の形状は、全体として四角板状である。パネルケース６１は、パネルケース６１の上縁部から上方へ向かって突出し、且つ左右方向に沿って延びている上レール部６２，６２を備えている。パネルケース６１は、パネルケース６１の下縁部から下方へ向かって突出し、且つ左右方向に沿って延びている下レール部６３，６３を備えている。
【００３２】
図５（ａ）に示すように、この実施形態において、液晶パネルユニット６０は、上レール部６２，６２が上パネルガイド部５１に係合し、下レール部６３，６３が下パネルガイド部５２に係合することにより、搭載枠部材５０の後壁５０ａに組み付けられている。この状態において、液晶パネル３１の表示領域３１ａは、遊技者から見たときに、開口部５０ｂと整合一致するようになっており、開口部２０ａ，２６ａ，５０ｂを介して、遊技者が表示領域３１ａを視認可能である。
【００３３】
次に、第１副基板ユニット７０の取付け構造について説明する。
図４に示すように、パネルケース６１は、係合部６４を備えている。係合部６４は、パネルケース６１の後面６１ａにおいて、上方に向かって開口する四角箱状の部分である。
【００３４】
第１副基板ユニット７０は、第１副制御基板７１と、第１副制御基板７１を収容している第１副基板ケース７２と、を備えている。第１副基板ケース７２は、扁平な四角箱状の部材である。第１副基板ケース７２は、該第１副基板ケース７２の下縁部から下方へ向かって突出している四角板状の突出部７３を備えている。第１副基板ユニット７０は、リベット７４を備えている。第１副基板ケース７２は、放熱孔を備えていてもよい。
【００３５】
図３（ａ）に示すように、この実施形態において、第１副基板ユニット７０は、第１副基板ケース７２の突出部７３を、パネルケース６１の係合部６４に係合させた状態において、リベット７４によってパネルケース６１に固定されている。この実施形態の第１副基板ユニット７０は、複数の部材に跨ることなく、単一の部材（液晶パネルユニット６０）に組み付けられた部材である。
【００３６】
次に、第２副基板ユニット７５の取付け構造について説明する。
図４に示すように、パネルケース６１は、係合部６５を備えている。係合部６５は、上方に向かって開口する四角箱状の部分である。係合部６５は、上述した係合部６４と左右方向に並んでいる。
【００３７】
第２副基板ユニット７５は、第２副制御基板７６と、第２副制御基板７６を収容している第２副基板ケース７７と、を備えている。第２副基板ケース７７は、扁平な四角箱状の部材である。第２副基板ケース７７は、該第２副基板ケース７７の下縁部から下方へ向かって突出している四角板状の突出部７８を備えている。第２副基板ユニット７５は、リベット７９を備えている。第２副基板ケース７７は、放熱孔を備えていてもよい。
【００３８】
図３（ａ）に示すように、この実施形態において、第２副基板ユニット７５は、第２副基板ケース７７の突出部７８を、パネルケース６１の係合部６５に係合させた状態において、リベット７９によってパネルケース６１に固定されている。この実施形態の第２副基板ユニット７５は、複数の部材に跨ることなく、単一の部材（液晶パネルユニット６０）に組み付けられた部材である。この実施形態において、副基板ユニット７０，７５は、左右方向に沿って並んでいる。
【００３９】
例えば、副制御基板７１，７６は、液晶パネルユニット６０を制御する表示制御基板、装飾ランプ１６を制御する発光制御基板、スピーカ１７を制御する音声制御基板、及び複数の副制御基板を統括して制御する副統括制御基板のうち何れかの制御基板である。また、副基板ケース７２，７７に収容する基板は、遊技球の払出しを制御する払出制御基板や、制御信号の中継を行う中継基板を収容するケースであってもよい。
【００４０】
次に、主基板ユニット８０の取付け構造について説明する。
図５（ａ）及び図５（ｂ）に示すように、パネルケース６１は、右係合部６６を備えている。右係合部６６は、パネルケース６１の後面６１ａから後方に向かって突出し、且つ上下方向に沿って延びている右係止壁６６ａを備えている。右係合部６６は、右係止壁６６ａの先端部のうち上下方向における中央（略中央）から左方へ突出している右係合片６６ｄを備えている。右係合部６６は、パネルケース６１の後面６１ａから後方に向かって突出し、且つ右係止壁６６ａの上縁部から左方へ向かって延びる上壁６６ｂを備えている。右係合部６６は、パネルケース６１の後面６１ａから後方に向かって突出し、且つ右係止壁６６ａの下縁部から左方へ向かって延びる下壁６６ｃを備えている。
【００４１】
図５（ａ）及び図５（ｄ）に示すように、パネルケース６１は、左係合部６７を備えている。左係合部６７は、右方に開口部を有する四角箱状の挿入部６７ａを備えている。左係合部６７は、パネルケース６１の後面６１ａから後方に向かって突出し、且つ挿入部６７ａの上縁部から右方へ向かって延びる上壁６７ｂを備えている。左係合部６７は、パネルケース６１の後面６１ａから後方に向かって突出し、且つ挿入部６７ａの下縁部から右方へ向かって延びる下壁６７ｃを備えている。
【００４２】
図５（ａ）及び図５（ｃ）に示すように、搭載枠部材５０は、下係合部５３を備えている。下係合部５３は、搭載枠部材５０において、後壁５０ａの後面５０ｃから後方へ向かって突出し、且つ左右方向に沿って延びる下係止壁５３ａを備えている。下係合部５３は、下係止壁５３ａの先端部から上方へ向かって突出している下係止片５３ｂを備えている。
【００４３】
また、図３（ａ）〜図３（ｃ）に示すように、搭載枠部材５０は、環状の第１取付環５５を備えている。第１取付環５５は、後方へ向かって突出している。また、第１取付環５５は、左右方向に開口している。
【００４４】
図６に示すように、主基板ユニット８０は、基板としての主制御基板１００を備えている。主制御基板１００は、プリント基板１０１と、ＣＰＵ１０２と、外部端子１０３と、ＲＷＭクリアボタン１０４と、内部端子１０５と、を備えている。この実施形態において、プリント基板１０１は、左右方向に沿って延びる長方形である。ＣＰＵ１０２、外部端子１０３、ＲＷＭクリアボタン１０４、及び内部端子１０５は、プリント基板１０１に形成された不図示の配線に対して、はんだ付けにより実装されている。なお、主制御基板１００は、その他の電子部品を備えていてもよい。この実施形態において、第１副制御基板７１及び第２副制御基板７６は、主制御基板１００とは別体である他の基板に相当する。
【００４５】
ＣＰＵ１０２は、パチンコ遊技機１０における遊技の進行を制御する。例えば、ＣＰＵ１０２は、始動条件の成立を契機として行う大当りか否かの抽選や、大当り抽選に当選した場合の大当り図柄の抽選などを行う。ＣＰＵ１０２は、メモリを内蔵しているとともに、該メモリには、読み出し専用のＲＯＭ領域と、読み書きが可能なＲＷＭ領域とが設けられている。なお、メモリは、ＣＰＵ１０２と別体であってもよい。ＣＰＵ１０２は、自身による演算結果を示すデータ（制御情報）をメモリのＲＷＭ領域に記憶させる。この実施形態において、ＣＰＵ１０２には、該ＣＰＵ１０２ごとに重複しない管理番号（シリアル番号）が付与されている。メモリのＲＯＭ領域には、ＣＰＵ１０２に付与された管理番号を特定可能なデータが記憶されている。
【００４６】
外部端子１０３は、四角箱状の端子である。この実施形態の外部端子１０３は、ＣＰＵ１０２に付与された管理番号を特定可能な情報（信号）を機外部に出力するための端子である。外部端子１０３には、ＣＰＵ１０２に付与された管理番号を照合するための外部機器（以下、照合機器と示す）に繋がるケーブルが接続される。ＣＰＵ１０２は、外部端子１０３にケーブルが接続されている場合に、自身に付与された管理番号を特定可能な情報（信号）を外部端子１０３から出力するための処理を行うことができる。照合機器は、管理番号を特定可能な情報（信号）を外部端子１０３及びケーブルを介して取り込むことにより、ＣＰＵ１０２が正規品であるか否かを判定できるように構成されている。したがって、外部端子１０３では、照合機器を用いて管理番号の照合を行うたびに、ケーブルの抜き差しが行われることになる。
【００４７】
ＲＷＭクリアボタン１０４は、所定の操作として、メモリのＲＷＭ領域に記憶されたデータを消去するための操作が可能な操作部材である。ＣＰＵ１０２は、電源投入時にＲＷＭクリアボタン１０４が操作されている場合、メモリのＲＷＭ領域に記憶されているデータを消去し、初期化されたデータに基づいて遊技の進行に関する処理を行う。その一方で、ＣＰＵ１０２は、電源投入時にＲＷＭクリアボタン１０４が操作されていない場合、メモリのＲＷＭ領域に記憶されているデータ（所謂バックアップデータ）を消去することなく、該データに基づいて遊技の進行に関する処理を行う。この実施形態において、ＲＷＭクリアボタン１０４は、押し込み式のボタンである。この実施形態において、ＲＷＭクリアボタン１０４と外部端子１０３とは、左右方向に沿って並んでいる。
【００４８】
内部端子１０５は、左右方向に沿って延びる四角箱状の端子である。内部端子１０５は、主制御基板１００とは異なる他の基板（例えば、副制御基板７１，７６など）に対して所定の制御情報（制御コマンド）を出力するための端子である。内部端子１０５には、主制御基板１００とは異なる他の基板に繋がるケーブルが接続される。このように、主制御基板１００は、他の基板（副制御基板７１，７６）と接続するための内部端子を備えている。
【００４９】
主基板ユニット８０は、ケースとしての主基板ケース８１を備えている。主制御基板１００は、主基板ケース８１に収容されている。主基板ケース８１は、第１ケース部材としてのベース部材８２と、第２ケース部材としてのカバー部材８６と、を備えている。ベース部材８２とカバー部材８６とを組み付けることにより、その内部に、主制御基板１００を収容する空間が形成される。
【００５０】
ベース部材８２について詳しく説明する。
ベース部材８２は、左右方向に沿って延びている長方形の板状部材である。ベース部材８２は、左右方向に沿って延びている長方形の凹部８２ａを備えている。凹部８２ａには、主制御基板１００が嵌め込まれている。ベース部材８２は、凹部８２ａの上縁部及び下縁部のそれぞれに沿って延びているガイド溝８３，８３を備えている。ベース部材８２は、上側のガイド溝８３の内部において、該ガイド溝８３が延びている方向に沿って所定の間隔を開けて並んでいる複数の係合部８３ａを備えている。ベース部材８２は、下側のガイド溝８３の内部において、該ガイド溝８３が延びている方向に沿って所定の間隔を開けて並んでいる複数の係合部８３ａを備えている。複数の係合部８３ａは、ガイド溝８３，８３の底壁（前側にある壁）から離間した四角箱状の部分である。
【００５１】
図７（ａ）〜図７（ｃ）に示すように、ベース部材８２は、ガイド溝８３，８３の内部のうち、左端部８２ｌ側の部分に、それぞれ凹部８３ｂ，８３ｂを備えている。上側のガイド溝８３において、凹部８３ｂは、上側のガイド溝８３を形成している一対の壁のうち上側（外側）の壁の下面（内面）に設けられている。下側のガイド溝８３において、凹部８３ｂは、下側のガイド溝８３を形成している一対の壁のうち下側（外側）の壁の上面（内面）に設けられている。即ち、凹部８３ｂ，８３ｂは、主制御基板１００（凹部８２ａ）を挟んで上下方向に対向している。
【００５２】
図６及び図１０に示すように、ベース部材８２は、左端部８２ｌから左方へ突出する四角箱状の第１カシメ部８５を備えている。第１カシメ部８５は、前後方向に貫通している複数（この実施形態では２つ）の貫通孔８５ａ，８５ｂを備えている。ベース部材８２は、貫通孔８５ａの内部に、上下方向に沿って延びている角柱状の支持部８５ｄを備えている。ベース部材８２は、貫通孔８５ｂの内部に、上下方向に沿って延びている角柱状の支持部８５ｄを備えている。この実施形態において、第１カシメ部８５は、第１ケース部材としてのベース部材８２が有する第１固定部に相当する。
【００５３】
ベース部材８２は、第１カシメ部８５から左方へ突出しており、且つ上下方向に沿って延びている板状の突出部８５ｃを備えている。ベース部材８２は、左端部８２ｌの反対の右端部８２ｒ側に、右方向に沿って延びる一組のガイド棒８４，８４を備えている。ガイド棒８４，８４は、右端部８２ｒにおける上端部と下端部とにそれぞれ１つずつ設けられている。ガイド棒８４，８４は、左右方向と直交する平面で切断したと仮定したときに、その断面形状がＬ字型である。
【００５４】
次に、カバー部材８６について説明する。
図６に示すように、カバー部材８６は、前方に向かって開口しており、且つ左右方向に沿って延びている長方形の箱状部材である。カバー部材８６は、後方に向かって突出している膨出部８６ａを備えている。膨出部８６ａは、主制御基板１００が備えている電子部品を収容する空間を確保するための部分である。即ち、膨出部８６ａの後面は、主制御基板１００における電子部品の実装面から離間している。カバー部材８６は、膨出部８６ａの下方に、主制御基板１００に近接した状態で広がる近接部８６ｂを備えている。カバー部材８６において、近接部８６ｂは、膨出部８６ａの下壁８６ｃと繋がっている。
【００５５】
カバー部材８６は、上縁部及び下縁部のそれぞれに沿って延びているガイドリブ８７，８７を備えている。カバー部材８６は、上側のガイドリブ８７において、該ガイドリブ８７が延びる方向に沿って所定の間隔を開けて並んでいる複数の係止片８７ａを備えている。上側のガイドリブ８７に設けられた係止片８７ａの個数は、上側のガイド溝８３に設けられた係合部８３ａの個数に等しい。カバー部材８６は、下側のガイドリブ８７において、該ガイドリブ８７が延びる方向に沿って所定の間隔を開けて並んでいる複数の係止片８７ａを備えている。下側のガイドリブ８７に設けられた係止片８７ａの個数は、下側のガイド溝８３に設けられた係合部８３ａの個数に等しい。なお、ガイドリブ８７，８７にある複数の係止片８７ａは、ガイドリブ８７，８７を平面視においてＬ字型に切り欠いた切欠き部８７ｂを形成することによって設けられている。
【００５６】
ベース部材８２とカバー部材８６とを組み付けた状態において、上側のガイドリブ８７は、上側のガイド溝８３に挿入される。そして、上側のガイド溝８３にある複数の係合部８３ａは、それぞれ上側のガイドリブ８７にある切欠き部８７ｂに挿入され、係止片８７ａと個別に係止される。また、ベース部材８２とカバー部材８６とを組み付けた状態において、下側のガイドリブ８７は、下側のガイド溝８３に挿入される。そして、下側のガイド溝８３にある複数の係合部８３ａは、それぞれ下側のガイドリブ８７にある切欠き部８７ｂに挿入され、係止片８７ａと個別に係止される。これにより、ベース部材８２とカバー部材８６とは、係合部８３ａと係止片８７ａとの係合によって、前後方向に分離することが規制される。
【００５７】
図８（ａ）〜図８（ｃ）に示すように、カバー部材８６は、ガイドリブ８７，８７の外面のうち左端部８６ｌ側の部分に、それぞれ凸部８７ｃ，８７ｃを備えている。上側のガイドリブ８７において、凸部８７ｃは、上側のガイドリブ８７の上面（外面）に設けられている。下側のガイドリブ８７において、凸部８７ｃは、下側のガイドリブ８７の下面（外面）に設けられている。
【００５８】
図６に示すように、ベース部材８２とカバー部材８６とを組み付けた状態では、上側のガイド溝８３にある凹部８３ｂと、上側のガイドリブ８７にある凸部８７ｃとが係合する。また、ベース部材８２とカバー部材８６とを組み付けた状態では、下側のガイド溝８３にある凹部８３ｂと、下側のガイドリブ８７にある凸部８７ｃとが係合する。これにより、ベース部材８２とカバー部材８６とは、左右方向へと相互にスライドしてしまうことが抑制される。したがって、この実施形態では、ベース部材８２とカバー部材８６とが左右方向へと相互にスライドすることによって、複数の係合部８３ａと複数の係止片８７ａとによる係止が解除されてしまうことを抑制できる。
【００５９】
この実施形態において、第１ケース部材としてのベース部材８２が有する凹部８３ｂ，８３ｂは、第１係合部に相当する。第２ケース部材としてのカバー部材８６が有する凸部８７ｃ，８７ｃは、第２係合部に相当する。主基板ケース８１において、凹部８３ｂ，８３ｂと凸部８７ｃ，８７ｃとは、主制御基板１００を収容した状態において相互に係合している。
【００６０】
図６及び図１０に示すように、カバー部材８６は、左端部８６ｌから左方へ突出する四角箱状の第２カシメ部８８を備えている。第２カシメ部８８は、前後方向に貫通している複数（この実施形態では２つ）の貫通孔８８ａ，８８ｂを備えている。この実施形態において、第２カシメ部８８は、第２ケース部材としてのカバー部材８６が有する第２固定部に相当する。貫通孔８８ａ，８８ｂは、それぞれの開口部の周囲に沿って階段状に凹んでいる段部８８ｄ，８８ｄを備えている。
【００６１】
この実施形態の主基板ケース８１において、第１カシメ部８５と第２カシメ部８８とは、破壊することなく分離不能に固定されている。ここで、第１カシメ部８５と第２カシメ部８８とを不可逆に固定する「カシメ構造」について詳しく説明する。
【００６２】
ベース部材８２とカバー部材８６とを組み付けた状態において、第１カシメ部８５にある貫通孔８５ａと、第２カシメ部８８にある貫通孔８８ａとは、後方から見たときに整合一致している。ベース部材８２とカバー部材８６とを組み付けた状態において、第１カシメ部８５にある貫通孔８５ｂと、第２カシメ部８８にある貫通孔８８ｂとは、後方から見たときに整合一致している。
【００６３】
図６、図９、及び図１０に示すように、主基板ケース８１は、第１カシメ片９０を備えている。第１カシメ片９０は、ベース壁９０ａと、該ベース壁９０ａの左端部及び右端部から後方に向かって突出し、且つ上下方向に沿って延びている四角板状の側壁９０ｂ，９０ｂと、を備えている。即ち、第１カシメ片９０の形状は、上方から見たときにコの字型である。第１カシメ片９０は、側壁９０ｂ，９０ｂのそれぞれに、係止片９０ｃを備えている。係止片９０ｃ，９０ｃは、基端部が側壁９０ｂ，９０ｂのそれぞれに繋がっているとともに、先端部が側壁９０ｂ，９０ｂの間に突出している板状部材である。係止片９０ｃ，９０ｃの基端部は、係止片９０ｃ，９０ｃの先端部よりも、側壁９０ｂ，９０ｂの先端部側（後方）に配置されている。係止片９０ｃ，９０ｃは、左右方向へはそれぞれ基端部を中心として比較的容易に撓むことが可能であるが、側壁９０ｂ，９０ｂの突出方向（前後方向）へは撓み難く、所定の強度を備えている。
【００６４】
図６、図９、及び図１０に示すように、主基板ケース８１は、第２カシメ片９１を備えている。第２カシメ片９１は、上下方向に沿って延びる四角板状のベース部９１ａと、該ベース部９１ａの前面（第１カシメ片９０側の面）から前方に向かって突出するとともに、上下方向に沿って延びているロック板９１ｂと、を備えている。ロック板９１ｂは、該ロック板９１ｂを厚さ方向（左右方向）に貫通するロック孔９１ｃを備えている。この実施形態において、ロック孔９１ｃの形状は、四角形である。
【００６５】
図１０に示すように、貫通孔８５ｂには、該貫通孔８５ｂの開口部のうち前側（パネルケース６１側）の開口部から、第１カシメ片９０が挿入されている。上述のように、貫通孔８５ｂの内部には、上下方向に沿って支持部８５ｄが延在していることから、第１カシメ片９０のベース壁９０ａは、支持部８５ｄに係止される。この状態において、貫通孔８８ｂには、該貫通孔８８ｂの開口部のうち後側の開口部から、第２カシメ片９１が挿入されている。この状態において、第１カシメ片９０の係止片９０ｃ，９０ｃは、第２カシメ片９１のロック孔９１ｃに挿入され、係止片９０ｃ，９０ｃとロック孔９１ｃとが係止された状態となっている。即ち、係止片９０ｃ，９０ｃの先端部は、ロック孔９１ｃの内壁面のうち、第２カシメ片９１の先端部側（前側）の壁面に接触又は近接している。
【００６６】
第１カシメ片９０のベース壁９０ａが支持部８５ｄに当接することにより、第２カシメ片９１を貫通孔８８ｂから引き抜くことが規制される。同様に、第２カシメ片９１のベース部９１ａが段部８８ｄに当接することにより、第１カシメ片９０を貫通孔８５ｂから引き抜くことが規制される。そして、第１カシメ片９０や第２カシメ片９１を無理に引き抜いた場合には、係止片９０ｃ，９０ｃが破壊される。このため、カシメ片９０，９１を引き抜いて主基板ケース８１を開封した場合には、第１カシメ片９０が破壊されてしまっているために、同じ第１カシメ片９０を用いてカシメ部８５，８８同士を固定できない。即ち、この実施形態の主基板ケース８１は、ベース部材８２とカバー部材８６とを分離して開封したときに、カシメ部８５，８８において開封の痕跡を残させることができる。なお、主基板ケース８１は、貫通孔８５ａ，８５ｂや貫通孔８８ａ，８８ｂを覆っている蓋部材を備えていてもよい。なお、主基板ケース８１は、貫通孔８５ａに予め第１カシメ片９０を挿入しておくことで、予備の第２カシメ片９１を用い、再びカシメ部８５，８８同士を固定できるようにしてもよい。
【００６７】
カバー部材８６の説明に戻り、図６に示すように、カバー部材８６は、左端部８６ｌの反対の右端部８６ｒ側に、左右方向に沿ってカバー部材８６の側壁を貫通している一組のガイド孔９３，９３を備えている。ガイド孔９３，９３は、右端部８６ｒの上端部と下端部とにそれぞれ１つずつ設けられている。上側のガイド孔９３は、右方向から見たときに、ベース部材８２における上側のガイド棒８４と同じ形状又は略同じ形状である。下側のガイド孔９３は、右方向から見たときに、ベース部材８２における下側のガイド棒８４と同じ形状又は略同じ形状である。
【００６８】
図９に示すように、ベース部材８２とカバー部材８６とを組み付けた状態において、上側のガイド棒８４は、上側のガイド孔９３に挿通されている。ベース部材８２とカバー部材８６とを組み付けた状態において、下側のガイド棒８４は、下側のガイド孔９３に挿通されている。この実施形態において、ガイド棒８４，８４及びガイド孔９３，９３は、ベース部材８２とカバー部材８６とを組み付ける際のガイド部として機能する。
【００６９】
図６に示すように、カバー部材８６は、右端部８６ｒに、係合片９４を備えている。係合片９４の形状は、カバー部材８６の右端部８６ｒから前方へ向かったのち後方へ向かって屈曲した形状である。即ち、係合片９４は、上方から見たときに、くの字型に曲がっており、左右方向へと比較的容易に撓むことができる。係合片９４の先端部には、右方に向かって突出する操作部９４ａ，９４ａと、該操作部９４ａ，９４ａの間に挟まれた切欠き部９４ｂと、を備えている。カバー部材８６は、右端部８６ｒに、環状の第２取付環９５を備えている。第２取付環９５は、右端部８６ｒから右方に向かって突出している。
【００７０】
カバー部材８６は、近接部８６ｂに、内部端子１０５が挿通される内部端子孔９６を備えている。内部端子孔９６の周囲における近接部８６ｂの厚さは、他の部分におけるカバー部材８６の厚さと同一又は略同一である。即ち、この実施形態において、主基板ケース８１は、内部端子孔９６の周囲に、該内部端子孔９６を囲う壁となる部分を備えていない。したがって、主基板ケース８１は、近接部８６ｂの厚さ分を除いて、内部端子１０５の延出方向と直交する方向における内部端子１０５の側面１０５ａと接触又は近接する保護面を有していない。主制御基板１００が主基板ケース８１に収容された状態において、内部端子１０５は、内部端子孔９６において、近接部８６ｂの後面よりも後方へ突出している。この実施形態において、内部端子１０５は、他の基板（副制御基板７１，７６）と制御信号の送信を可能に接続するためのケーブルが接続されている。
【００７１】
カバー部材８６は、外部端子１０３が挿通される外部端子孔９７を備えている。外部端子孔９７の形状は、後方から見たときに、外部端子１０３の外形に対応した四角形である。カバー部材８６は、外部端子孔９７の右縁部から後方に向かって延びる右壁９８ａ、外部端子孔９７の下縁部から後方に向かって延びる下壁９８ｂ、及び外部端子孔９７の左縁部から後方に向かって延びる左壁９８ｃを備えている。外部端子孔９７の上縁部には、膨出部８６ａの下壁８６ｃが後方に向かって立設されている。即ち、外部端子孔９７は、壁８６ｃ，９８ａ〜９８ｃによって囲まれている。したがって、壁８６ｃ，９８ａ〜９８ｃは、外部端子孔９７を囲い、且つ外部端子１０３の側面１０３ａと対向する対向面９８ｄを形成している。このように、主基板ケース８１（カバー部材８６）の対向面９８ｄは、外部端子１０３の延出方向と直交する方向における外部端子１０３の側面１０３ａに沿って延びる保護面に相当する。また、この実施形態の対向面９８ｄは、外部端子１０３を囲う環状面である。
【００７２】
図１１に示すように、膨出部８６ａの下壁８６ｃは、外部端子１０３との対向面に、第１スペーサ９８ｅと、第２スペーサ９８ｆ，９８ｆと、を備えている。第１スペーサ９８ｅは、左右方向に沿って延びているとともに、壁９８ａ〜９８ｃの先端面９８ｇと面一にされている。第２スペーサ９８ｆ，９８ｆは、第１スペーサ９８ｅから前方（主制御基板１００側）へ向かって延びている。下壁８６ｃのうち、スペーサ９８ｅ，９８ｆ，９８ｆが設けられている部分は、これらスペーサ９８ｅ，９８ｆ，９８ｆにおいて、外部端子１０３と対向している。したがって、外部端子１０３の側面１０３ａと、膨出部８６ａの下壁８６ｃとの間には、スペーサ９８ｅ，９８ｆ，９８ｆによって、隙間Ｓ１が形成される。この実施形態では、隙間Ｓ１によって、外部端子１０３と図示しないケーブルとの接点において生じ得る熱を逃がすことができる。
【００７３】
主制御基板１００が主基板ケース８１に収容された状態において、外部端子１０３の先端面１０３ｂは、外部端子孔９７を囲う壁９８ａ〜９８ｃの先端面９８ｇから僅かに後方へ突出するようになっている。なお、図１１においては、外部端子１０３を二点鎖線で示している。外部端子１０３の先端面１０３ｂは、上方から見たときに、膨出部８６ａよりも後方に突出していない。したがって、仮に主基板ユニット８０の上方から遊技球が落下してきた場合であっても、該遊技球が外部端子１０３に接触し難くなっている。
【００７４】
また、この状態において、外部端子１０３は、該外部端子１０３を囲う壁８６ｃ（スペーサ９８ｅ，９８ｆ，９８ｆ），９８ａ〜９８ｃと近接している。即ち、対向面９８ｄは、外部端子１０３に近接している。なお、対向面９８ｄは、その一部が外部端子１０３の側面１０３ａと接触していてもよく、その全部が側面１０３ａと接触していてもよい。また、外部端子１０３は、その略全体が壁８６ｃ，９８ａ〜９８ｃに埋没している。即ち、外部端子１０３の側面１０３ａは、その略全体が対向面９８ｄと対向している。
【００７５】
上述のように、外部端子１０３には、照合機器と接続するためのケーブルが抜き差しされる。その際、外部端子１０３には、左右方向や上下方向に沿って負荷がかかる可能性が高い。しかしながら、この実施形態の主基板ケース８１には、外部端子１０３の側面１０３ａに近接させて、対向面９８ｄが備えられている。したがって、ケーブルの抜き差しに伴って外部端子１０３に負荷がかかる場合であっても、外部端子１０３を対向面９８ｄによって支持し、外部端子１０３を保護することができる。このように、この実施形態において、壁８６ｃ，９８ａ〜９８ｃは、外部端子１０３を保護する端子保護部９８を構成している。
【００７６】
図６及び図１１に示すように、カバー部材８６は、近接部８６ｂに、近接部８６ｂから後方へと突出するボタン保護部９９を備えている。ボタン保護部９９の後面９９ａは、上方から見たときに、膨出部８６ａよりも後方に突出していない。ボタン保護部９９は、ＲＷＭクリアボタン１０４が挿通されるボタン孔９９ｂを備えている。即ち、膨出部８６ａは、ＲＷＭクリアボタン１０４が挿通されるボタン孔９９ｂの上部において、ＲＷＭクリアボタン１０４よりも遊技盤２０の後方に突出している突出部に相当する。ボタン保護部９９は、ボタン孔９９ｂの周囲を囲っている凹部９９ｃを備えている。即ち、ボタン孔９９ｂの周囲の少なくとも一部は凹んでいる。主制御基板１００が主基板ケース８１に収容された状態において、ＲＷＭクリアボタン１０４は、上方から見たときに、ボタン保護部９９の後面９９ａよりも後方へ突出していない。したがって、仮に主基板ユニット８０の上方から遊技球が落下してきた場合であっても、該遊技球がＲＷＭクリアボタン１０４に接触し難くなっている。
【００７７】
次に、遊技盤２０に主基板ユニット８０を組み付けた状態について説明する。
図９及び図１０に示すように、主基板ユニット８０の突出部８５ｃは、液晶パネルユニット６０に設けられた左係合部６７（挿入部６７ａ）の右方から、挿入部６７ａに挿入されている。したがって、主基板ユニット８０は、主基板ユニット８０にある突出部８５ｃと、液晶パネルユニット６０にある左係合部６７とによって、後方への移動が規制されている。左係合部６７には、上壁６７ｂと下壁６７ｃとが設けられていることから、挿入部６７ａに突出部８５ｃを挿入する際にガイドすることができる。この実施形態において、突出部８５ｃは、第１部材としての液晶パネルユニット６０に取り付けられる取付け部に相当する。
【００７８】
また、係合片９４は、液晶パネルユニット６０に設けられた右係合部６６に挿入されている。この状態において、右係合部６６の右係合片６６ｄは、係合片９４の切欠き部９４ｂに嵌り込むように係合している。したがって、主基板ユニット８０は、液晶パネルユニット６０にある右係合部６６と、液晶パネルユニット６０にある係合片９４とによって、後方への移動が規制されている。
【００７９】
上述したように、係合片９４は、左右方向に撓むことができることから、係合片９４を右係合部６６へと挿入するときに必要な力を低減できる。また、係合片９４の操作部９４ａ，９４ａを操作して、係合片９４を左方へと撓ませることにより、右係合片６６ｄと切欠き部９４ｂとの係合を簡単に解除できる。また、搭載枠部材５０に設けられた下係合部５３は、下係止片５３ｂによって、主基板ケース８１の下縁部と係合している。したがって、主基板ユニット８０は、搭載枠部材５０にある下係合部５３によって、後方への移動が規制されている。
【００８０】
このように、この実施形態の主基板ユニット８０は、第１部材としての液晶パネルユニット６０と、第２部材としての搭載枠部材５０とに跨って取り付けられている。したがって、例えば、主基板ユニット８０を液晶パネルユニット６０ごと、パチンコ遊技機１０から取り外そうとした場合であっても、主基板ユニット８０が搭載枠部材５０にも取り付けられていることから、主基板ユニット８０をパチンコ遊技機１０から取り外せないようになっている。
【００８１】
また、図３（ａ）及び図３（ｂ）に示すように、搭載枠部材５０の第１取付環５５と、主基板ユニット８０（カバー部材８６）の第２取付環９５とは、結束バンド１１０によって固定されている。したがって、搭載枠部材５０から主基板ユニット８０を取り外す場合には、結束バンド１１０を切断する必要がある。即ち、主基板ユニット８０と搭載枠部材５０とは、破壊することなく分離不能に固定されている。したがって、この実施形態では、基板ユニット８０が搭載枠部材５０から取り外されたときに、取付環５５，９５において取り外しの痕跡を残させることができる。この実施形態において、結束バンド１１０は、搭載枠部材５０と主基板ケース８１とを固定する固定部に相当する。
【００８２】
したがって、この実施形態のパチンコ遊技機１０は、次の効果を奏する。
（１）この実施形態によれば、主制御基板１００を収容している主基板ケース８１は、液晶パネルユニット６０と搭載枠部材５０とに跨って取り付けられていることから、液晶パネルユニット６０ごと主制御基板１００を取り外したり、搭載枠部材５０ごと主制御基板１００を取り外したりし難い。したがって、不正な基板の交換を抑制し、セキュリティ性を向上できる。
【００８３】
（２）この実施形態によれば、ベース部材８２とカバー部材８６とがそれぞれに有する係合部（凹部８３ｂ及び凸部８７ｃ）同士を係合させることで、主制御基板１００を主基板ケース８１に収容する作業が簡便にできる。したがって、主制御基板１００を主基板ケース８１に収容する際の作業性を向上できる。
【００８４】
（３）この実施形態によれば、ベース部材８２とカバー部材８６とがそれぞれに有する固定部（カシメ部８５，８８）同士を、破壊しなければ分離不能に固定することで、主基板ケース８１が開封されたときに、その痕跡を残すことが可能になる。このため、仮に、正規な主制御基板１００が、不正な基板に交換された場合であっても、交換の有無を判別し易くできる。したがって、セキュリティ性を向上できる。
【００８５】
（４）この実施形態によれば、液晶パネルユニット６０に取り付けられる突出部８５ｃは、ベース部材８２とカバー部材８６とを固定する第１カシメ部８５に設けてある。このため、カシメ部８５，８８同士を固定する作業と、主基板ケース８１を取り付ける作業と、について、作業対象を分り易くできる。
【００８６】
（５）この実施形態によれば、主制御基板１００を収容している主基板ケース８１は、液晶パネルユニット６０と搭載枠部材５０とに跨って取り付けられていることから、液晶パネルユニット６０ごと主制御基板１００を取り外したり、搭載枠部材５０ごと主制御基板１００を取り外したりし難い。そして、搭載枠部材５０と、主基板ケース８１と、を固定する結束バンド１１０は、破壊することなく主基板ケース８１を取り外すことが不能に構成されていることから、主基板ケース８１を取り外したときに、その痕跡を残すことが可能になる。このため、仮に、正規な主制御基板１００が、不正な基板に交換された場合であっても、交換の有無を判別し易くできる。したがって、不正な基板の交換を抑制し、セキュリティ性を向上できる。
【００８７】
（６）この実施形態によれば、外部端子１０３は、外部端子１０３が傾こうとしたとき又は外部端子１０３が傾いたときに、外部端子１０３の側面に沿って延びる保護面としての対向面９８ｄによって支持される。したがって、外部端子１０３を保護できる。
【００８８】
（７）この実施形態によれば、外部端子１０３の側面１０３ａが対向面９８ｄによって囲われているため、何れの方向においても外部端子１０３を保護できる。
（８）この実施形態によれば、対向面９８ｄは、外部端子１０３の側面１０３ａに近接又は接触している。したがって、外部端子１０３が大きく傾くことを抑制し、より保護できる。
【００８９】
（９）この実施形態によれば、主基板ケース８１は、ボタン孔９９ｂを備えており、ボタン孔９９ｂの周囲は凹部９９ｃによって凹んでいる。したがって、ＲＷＭクリアボタン１０４と遊技球とが接触することを抑制できる。したがって、誤操作の発生を抑制できる。
【００９０】
（１０）この実施形態によれば、主基板ケース８１は、ボタン孔９９ｂの上部において、ＲＷＭクリアボタン１０４よりも遊技盤２０の後方へ突出している膨出部８６ａを備えている。したがって、遊技盤２０の後方を落下する遊技球がＲＷＭクリアボタン１０４に接触し難くなる。したがって、誤操作の発生を抑制できる。
【００９１】
（１１）この実施形態によれば、ケーブルの取り外しが比較的少ないと想定される内部端子１０５については、保護面を設けないことにより作業スペースを確保し、接続作業を行い易くできる。
【００９２】
（１２）この実施形態によれば、液晶パネルユニット６０は、遊技盤２０の裏面の大半を覆う大きさである。したがって、主基板ユニット８０を搭載枠部材５０のみに取り付けようとすると、主基板ユニット８０や液晶パネルユニット６０の配置関係について、設計の自由度が低くなる。しかしながら、この実施形態では、主基板ユニット８０を搭載枠部材５０と液晶パネルユニット６０とに跨って取り付けることで、設計の自由度を向上させている。
【００９３】
（１３）この実施形態によれば、主基板ユニット８０は、液晶パネルユニット６０の後側に取り付けられることに起因して、遊技盤２０の後側において最も後方に突出している。したがって、遊技盤２０の後側を落下する遊技球が接触する可能性が高くなる。しかしながら、この実施形態では、膨出部８６ａによって、遊技球と外部端子１０３やＲＷＭクリアボタン１０４との接触を抑制し、保護できる。
【００９４】
例えば、上述した実施形態は、次のような別の実施形態に変更してもよい。
・図１２に示すように、主基板ケース８１は、ボタン保護部９９を囲う右壁１５１、下壁１５２、及び左壁１５３を備えていてもよい。即ち、ボタン保護部９９は、壁８６ｃ，１５１〜１５３によって囲まれていてもよい。この場合、右壁１５１は、外部端子１０３を囲う左壁９８ｃと兼用されていてもよい。これによれば、遊技盤２０の後側を落下する遊技球がＲＷＭクリアボタン１０４に接触することを抑制できる。また、下壁１５２の上面１５２ａは、後方に向かうほど下方へと下がる傾斜面であってもよい。これによれば、遊技盤２０の後側を落下する遊技球が下壁１５２に接触した場合であっても、該遊技球を後方（ＲＷＭクリアボタン１０４とは反対側）へと誘導することができる。したがって、誤操作の発生を抑制できる。
【００９５】
・端子保護部９８やボタン保護部９９の上壁は、膨出部８６ａの下壁８６ｃと兼用されていなくてもよい。
・ボタン保護部９９によって保護する操作部材は、音量調節ツマミであってもよい。また、ボタン保護部９９は、複数の操作部材を保護していてもよい。
【００９６】
・主制御基板１００は、ＲＷＭクリアボタン１０４を備えていなくてもよい。この場合、ボタン保護部９９は省略してもよい。
・端子保護部９８は、複数の端子を保護していてもよい。
【００９７】
・搭載枠部材５０の第１取付環５５と、主基板ユニット８０の第２取付環９５とは、近接していてもよく、さらに接触するように隣り合っていてもよい。これによれば、搭載枠部材５０と主基板ユニット８０との遊びをなくし、強固に固定できる。
【００９８】
・第１取付環５５は、液晶パネルユニット６０に設けられていてもよい。また、第１取付環５５は、搭載枠部材５０及び液晶パネルユニット６０の両方に設けられ、主基板ケース８１に２つの第２取付環９５が設けられていてもよい。これによれば、主基板ケース８１は、搭載枠部材５０及びパネルケース６１の両方に対して、破壊することなく分離不能に固定できる。
【００９９】
・結束バンド１１０に代えて、主基板ケース８１と搭載枠部材５０とを固定するための構造として、カシメ部８５，８８を固定するためのカシメ構造を採用してもよい。即ち、主基板ケース８１は、破壊することなく分離不能に固定されておればよい。
【０１００】
・カシメ部８５，８８の固定には、結束バンドを用いてもよい。即ち、ベース部材８２とカバー部材８６とは、破壊することなく分離不能に固定されておればよい。
・ベース部材８２の第１係合部及びカバー部材８６の第２係合部は、上記実施例のような凹部８３ｂや凸部８７ｃに限られない。例えば、ベース部材８２に凸部を設け、カバー部材８６に凹部を設けてもよい。
【０１０１】
・取付け部に相当する突出部８５ｃは、カバー部材８６の第２カシメ部８８に設けてもよい。突出部８５ｃが取り付けられる左係合部６７は、搭載枠部材５０に設けられていてもよい。このように変更しても、カシメ部８５，８８同士を固定する作業と、主基板ケース８１を取り付ける作業と、について、作業対象を分り易くできる。
【０１０２】
・外部端子１０３は、照合機器とは異なる外部機器を接続するための端子であってもよい。なお、外部端子１０３は、主制御基板１００とは異なる基板（副制御基板７１，７６など）を接続するための端子であってもよく、外部端子１０３を省略してもよい。なお、外部端子１０３を備えない場合には、端子保護部９８を省略してもよい。
【０１０３】
・主制御基板１００は、複数の内部端子１０５を備えていてもよい。この場合、主基板ケース８１は、内部端子１０５を主基板ケース８１の外部に突出させるための孔を内部端子１０５と同じ数だけ備えているとよい。
【０１０４】
・主基板ケース８１に収容する基板は、副制御基板７１，７６であってもよく、これとは異なる基板であってもよい。
・主基板ケース８１には、複数の基板が収容されていてもよい。例えば、主制御基板１００に加えて、副制御基板７１，７６が収容されていてもよい。
【０１０５】
・主基板ケース８１は、壁８６ｃ，９８ａ〜９８ｃのうちの一部または全部を備えていなくてもよい。ただし、外部端子１０３を保護する観点から、壁８６ｃ，９８ａ〜９８ｃのうちの少なくとも一部を備えていることにより、外部端子１０３を保護する保護面を形成することが好ましい。換言すれば、保護面は、外部端子孔９７の周囲の少なくとも一部に形成されておればよく、外部端子１０３を囲う環状でなくてもよい。
【０１０６】
・端子保護部９８は、外部端子孔９７を囲う円環状の壁や、楕円環状の壁を備えていてもよい。ボタン保護部９９についても同様に変更できる。
・壁８６ｃ，９８ａ〜９８ｃの形状は適宜変更してもよい。例えば、外部端子孔９７の周囲から後方に向かって突出する複数の柱状部分によって、外部端子１０３の周囲を断続的に囲っている保護面を形成してもよい。また、壁８６ｃ，９８ａ〜９８ｃは、格子状の構造を有していてもよい。
【０１０７】
・主基板ケース８１は、スペーサ９８ｅ，９８ｆ，９８ｆを備えていていなくてもよい。
・主基板ユニット８０は、複数の部材に跨って取り付けられておればよい。例えば、第１部材は、第１副基板ユニット７０であり、第２部材は、第２副基板ユニット７５であってもよい。また、第１部材は、遊技盤２０であり、第２部材は、搭載枠部材５０であってもよい。
【０１０８】
・主基板ユニット８０は、３つ以上の部材に跨って取り付けられていてもよい。例えば、液晶パネルユニット６０と、搭載枠部材５０と、第１副基板ユニット７０とに跨って取り付けられていてもよい。この場合、主制御基板１００だけではなく、第１副制御基板７１についても、他の部材ごと取り外されてしまうことを抑制できる。
【０１０９】
・パチンコ遊技機１０は、液晶パネル３１に代えて、プラズマディスプレイ型のパネルであってもよく、有機ＥＬ型のパネルであってもよい。
・遊技機としてのスロットマシンに適用されてもよい。この場合、スロットマシンは、遊技媒体としてメダルが用いられる。主制御基板１００のＣＰＵ１０２は、操作レバーの操作を受け付けると役抽選を行い、リールの回転を開始させる。ＣＰＵ１０２は、ストップボタンの操作を受け付けると、役抽選の結果とストップボタンの操作タイミングとに応じてリールを停止させ、図柄の組み合わせ（表示結果）を導出させる。そして、ＣＰＵ１０２は、有効ライン上に停止された図柄の組み合わせが、賞を付与するものとして予め定めた図柄の組み合わせである場合には、該図柄の組み合わせに定めた賞を遊技者に付与する。例えば、賞は、再遊技（リプレイ遊技）、メダルの払い出し、ボーナス遊技の付与、及びＡＲＴ状態の付与などである。
【０１１０】
次に示す技術的思想は、上述した実施形態から把握できる。
（イ）基板と、前記基板を収容しているケースと、を備えた遊技機において、前記基板は、外部機器と接続するための外部端子を備え、前記ケースは、前記外部端子の延出方向と直交する方向における前記外部端子の側面に沿って延びる保護面を備えている。一般に、基板は、外部機器を接続するための外部端子を備えている場合がある。このような、外部端子は、外部機器と接続するためのケーブルが抜き差しされるため、負荷がかかり易い。したがって、外部端子を適切に保護することが期待されている。技術的思想イによれば、外部端子を適切に保護することができる。
【０１１１】
（ロ）遊技盤と、前記遊技盤の後側に取り付けられた第１部材と、前記遊技盤の後側に取り付けられた第２部材と、基板と、前記基板を収容しているケースと、を備え、前記ケースは、前記第１部材と前記第２部材の後側に位置し、前記第１部材と前記第２部材とに跨って取り付けられており、前記ケースは、前記基板が前記ケースに収容された状態において、前記基板における電子部品の実装面から離間する方向に向かって突出する膨出部と、前記膨出部の下方に、前記基板に近接した状態で広がる近接部とを備え、前記膨出部は、前記実装面から離間する方向に向かって突出する上壁と、前記上壁よりも下方において前記実装面から離間する方向に向かって突出する下壁とを備え、前記近接部には、外部機器を接続するための外部端子が挿通される外部端子孔と、メモリのＲＷＭ領域に記憶されたデータを消去するための操作が可能なＲＷＭクリアボタンが挿通されるボタン孔が形成されており、前記基板が前記ケースに収容された状態において、前記外部端子の先端面および前記ＲＷＭクリアボタンは前記膨出部よりも突出しておらず、前記外部端子孔に前記外部端子が挿通された状態において、前記外部端子と前記下壁との間は離間しており、前記外部端子と前記下壁との間には前記近接部よりも前記実装面から離間する方向に突出する突出部が介在されていることを特徴とする遊技機。
【０１１２】
（ハ）遊技盤と、前記遊技盤の後側に取り付けられた第１部材と、前記遊技盤の後側に取り付けられた第２部材と、基板と、前記基板を収容しているケースと、を備え、前記ケースは、前記第１部材と前記第２部材の後側に位置し、前記第１部材と前記第２部材とに跨って取り付けられており、前記ケースは、前記基板が前記ケースに収容された状態において、前記基板における電子部品の実装面から離間する方向に向かって突出する膨出部と、前記膨出部の下方に、前記基板に近接した状態で広がる近接部とを備え、前記近接部には、外部機器を接続するための外部端子が挿通される外部端子孔と、メモリのＲＷＭ領域に記憶されたデータを消去するための操作が可能なＲＷＭクリアボタンが挿通されるボタン孔が形成されており、前記基板が前記ケースに収容された状態において、前記外部端子の先端面および前記ＲＷＭクリアボタンは前記膨出部よりも突出しておらず、前記外部端子は、前記膨出部の下壁に対向する対向面を有し、前記膨出部の下壁は、前記外部端子の対向面に対向する対向面にスペーサを備え、前記外部端子の対向面と前記膨出部の下壁との間には、前記スペーサによって隙間が形成されていることを特徴とする遊技機。
【符号の説明】
【０１１３】
２０…遊技盤、２１…遊技領域、５０…搭載枠部材（第２部材）、６０…液晶パネルユニット（第１部材）、６１…パネルケース、７１…第１副制御基板（他の基板）、７６…第２副制御基板（他の基板）、８１…主基板ケース（ケース）、８２…ベース部材（第１ケース部材）、８３ｂ…凹部（第１係合部）、８５…第１カシメ部（第１固定部）、８５ｃ…突出部（取付け部）、８６…カバー部材（第２ケース部材）、８６ａ…膨出部（突出部）、８７ｃ…凸部（第２係合部）、８８…第２カシメ部（第２固定部）、９８ｄ…対向面（保護面）、９９ｂ…ボタン孔（孔）、９９ｃ…凹部、１００…主制御基板（基板）、１０３…外部端子、１０３ａ…側壁、１０４…ＲＷＭクリアボタン（操作部材）、１０５…内部端子、１１０…結束バンド（固定部）。
【図１】
2019093255.tif 000003
【図２】
2019093255.tif 000004
【図３】
2019093255.tif 000005
【図４】
2019093255.tif 000006
【図５】
2019093255.tif 000007
【図６】
2019093255.tif 000008
【図７】
2019093255.tif 000009
【図８】
2019093255.tif 000010
【図９】
2019093255.tif 000011
【図１０】
2019093255.tif 000012
【図１１】
2019093255.tif 000013
【図１２】
2019093255.tif 000014